(57)【要約】【課題】挿脱自在の間仕切り壁で仕切られた左方のテーブルセットと右方のテーブルセットを１グループで使用するために間仕切り壁を除去すると、両テーブル間に隙間が生じ一体感をなくしてしまうので、隙間を無くすために手間をかけてテーブルを移動させる必要があり不便である。【解決手段】左方のテーブルセット２と右方のテーブルセット３と、両テーブルセット２、３間に挿脱自在に配置された間仕切り壁４から構成されているものにおいて、右方のテーブルセットに設けたスライドテーブル板３Ｃ２を左方のテーブルセット２に対してスライド自在に構成する。【選択図】　　　　図１
2004089387.tif 000002
【特許請求の範囲】
【請求項１】
左右に位置する左方のテーブルセット（２）と、右方のテーブルセット（３）と、これら両テーブルセット（２、３）間に挿脱自在に配置された間仕切り壁（４）から構成されているものにおいて、右方のテーブルセット（３）におけるテーブル（３Ａ）は、支脚（３Ａ１）とこの支脚の上端に左右方向にスライド自在の状態で取付けられたスライドテーブル板部（３Ｃ）から構成されていることを特徴とするテーブル席。
【請求項２】
左右に位置する左方のテーブルセット（２）と、右方のテーブルセット（３）と、これら両テーブルセット（２、３）間に挿脱自在に配置された間仕切り壁（４）から構成され、
左方のテーブルセット（２）は、テーブル（２Ａ）とこのテーブルの前後に配置された適数個の椅子（２Ｂ、２Ｂ．．）から構成され、テーブル（２Ａ）は支脚（２Ａ１）とこの支脚の上端に取付けられたテーブル板（２Ａ２）から構成され、
右方のテーブルセット（３）は、テーブル（３Ａ）とこのテーブルの前後に配置された適数個の椅子（３Ｂ、３Ｂ．．）から構成され、テーブル（３Ａ）は、支脚（３Ａ１）とこの支脚の上端に取付けられたスライドテーブル板部（３Ｃ）から構成され、
スライドテーブル板部（３Ｃ）は、水平基板（３Ｃ１）と、この水平基板（３Ｃ１）を中心に左右方向にスライド自在の状態で取付けられたスライドテーブル板（３Ｃ２）とストッパ部（３Ｃ３）から構成され、ストッパ部（３Ｃ３）は、スライドテーブル板（３Ｃ２）を左方に移動させた状態で固定すると共に、スライドテーブル板（３Ｃ２）を右方に移動させた状態で固定するよう構成されていることを特徴とするテーブル席。
【請求項３】
左右に位置する左方のテーブルセット（２）と、右方のテーブルセット（３）と、これら両テーブルセット（２、３）間に挿脱自在に配置された間仕切り壁（４）から構成され、
左方のテーブルセット（２）は、テーブル（２Ａ）とこのテーブルの前後に配置された適数個の椅子（２Ｂ、２Ｂ．．）から構成され、テーブル（２Ａ）は支脚（２Ａ１）とこの支脚の上端に取付けられたテーブル板（２Ａ２）から構成され、
右方のテーブルセット（３）は、テーブル（３Ａ）とこのテーブルの前後に配置された適数個の椅子（３Ｂ、３Ｂ．．）から構成され、テーブル（３Ａ）は、支脚（３Ａ１）とこの支脚の上端に取付けられたスライドテーブル板部（３Ｃ）から構成され、スライドテーブル板部（３Ｃ）は、水平基板（３Ｃ１）とスライドテーブル板（３Ｃ２）とストッパ部（３Ｃ３）から構成され、
水平基板（３Ｃ１）は、左方のテーブルセット（２）におけるテーブル板（２Ａ２）の寸法より少し小さい寸法に構成され、かつ支脚（３Ａ１）の上端に固定された基板（３Ｃ１１）と、基板（３Ｃ１１）の下面における前方辺に刻設された前の段欠き（Ｋ１）及び後方辺に刻設された後の段欠き（Ｋ２）から構成され、
スライドテーブル板（３Ｃ２）は、テーブル板（３Ｃ２１）と、前方のテーブル板支持枠（３Ｃ２２）と、後方のテーブル板支持枠（３Ｃ２３）から構成され、テーブル板（３Ｃ２１）は、左方のテーブルセット（２）におけるテーブル板（２Ａ２）の寸法と同様の寸法に構成された板（Ｗ１）と、この板（Ｗ１）の下面外周に添設された枠（Ｗ２）から構成され、前方のテーブル板支持枠（３Ｃ２２）は、水平基板（３Ｃ１）における基板（３Ｃ１１）の左右の長さと同一長さに構成された細幅板（ＨＷ１）と、この細幅板（ＨＷ１）に水平基板（３Ｃ１）における前の段欠き（Ｋ１）に対応するよう刻設された前方段欠き（Ｋ１１）から構成され、後方のテーブル板支持枠（３Ｃ２３）は、テーブル板（３Ｃ２１）の枠（Ｗ２）内における左右の長さと同一長さに構成された細幅板（ＨＷ２）と、この細幅板（ＨＷ２）に水平基板（３Ｃ１）における後の段欠き（Ｋ２）に対応するよう刻設された後方段欠き（Ｋ１２）から構成され、水平基板（３Ｃ１）の上面にスライドテーブル板（３Ｃ２）のテーブル板（３Ｃ２１）の下面を移動自在の状態で重ね、当該水平基板（３Ｃ１）における前の段欠き（Ｋ１）に前方のテーブル板支持枠（３Ｃ２２）の前方段欠き（Ｋ１１）を係合させ、また、後の段欠き（Ｋ２）に後方のテーブル板支持枠（３Ｃ２３）の後方段欠き（Ｋ１２）を係合させたのち、両テーブル板支持枠をスライドテーブル板（３Ｃ２）におけるテーブル板（３Ｃ２１）にそれぞれ連結させ、
ストッパ部（３Ｃ３）は、ストッパ移動小溝（３Ｃ３１）とストッパ本体（３Ｃ３２）とストッパ小受け（３Ｃ３３）から構成され、ストッパ移動小溝（３Ｃ３１）は、水平基板（３Ｃ１）の基板（３Ｃ１１）に対してスライドテーブル板（３Ｃ２）を右方に停止するまで寄せた状態において、当該基板（３Ｃ１１）の右方縁（Ｚ）に沿った状態でスライドテーブル板の前端から後方に向けあり溝状に刻設され、ストッパ本体（３Ｃ３２）は、つまみ用の小ブロック（ＳＢ）の下端にストッパ移動小溝（３Ｃ３１）に移動自在に装着されるあり状部（ＡＢ）が形成され、ストッパ小受け（３Ｃ３３）は、水平基板（３Ｃ１）の基板（３Ｃ１１）に対してスライドテーブル板（３Ｃ２）を左方に停止するまで寄せた状態において、当該スライドテーブル板の前方部分にストッパ本体（３Ｃ３２）が挿脱できるよう基板に前向きコ字状に刻設され、
間仕切り壁（４）は、側面方形の壁体（４Ａ）と壁体の下端に取付けられたキャスター（４Ｂ、４Ｂ）から構成されていることを特徴とするテーブル席。
【請求項４】
請求項３記載のテーブル席（１）を用いて下記の各工程から構成されていることを特徴とするテーブル席の使用方法。
左右に位置する左方のテーブルセット（２）と右方のテーブルセット（３）と、これら両テーブルセット（２、３）間に挿脱自在に配置された間仕切り壁（４）から構成された状態において、
左方のテーブルセット（２）と右方のテーブルセット（３）を連結した状態で使用する場合、
ａ．間仕切り壁（４）を除去する。
ｂ．右方のテーブルセット（３）におけるストッパ部（３Ｃ３）のストッパ本体（３Ｃ３２）をストッパ移動小溝（３Ｃ３１）に沿って前方に移動させ解放状態にする。
ｃ．右方のテーブルセット（３）のスライドテーブル板（３Ｃ２）を左方に移動させ左方のテーブルセット（２）のテーブル板（２Ａ２）に当接させたのち、ストッパ本体（３Ｃ３２）を後方に向け移動させストッパ小受け（３Ｃ３３）内に挿入して固定して、左方のテーブルセット（２）と右方のテーブルセット（３）とを一体化した状態にする。
左方のテーブルセット（２）と右方のテーブルセット（３）を分離した状態で使用する場合、
ａ．ストッパ本体（３Ｃ３２）を前方に向け移動させストッパ小受け（３Ｃ３３）から離脱させ解放状態にする。
ｂ．右方のテーブルセット（３）のスライドテーブル板（３Ｃ２）を右方に停止するまで移動させたのち、ストッパ本体（３Ｃ３２）をストッパ移動小溝（３Ｃ３１）に沿って後方に移動させ固定状態にする。
ｃ．左方のテーブルセット（２）と右方のテーブルセット（３）との間に間仕切り壁（４）を挿入起立させ、左方のテーブルセット（２）と右方のテーブルセット（３）とを分離した状態にする。
【発明の詳細な説明】
【０００１】
【発明の属する技術分野】
本発明は、新規な構成を有するテーブル席とテーブル席の使用方法に関するものである。
【０００２】
【従来の技術】
従来のテーブル席５の多くは、図１５を参照して、左右に位置する左方のテーブルセット５Ａと、右方のテーブルセット５Ｂと、これら両テーブルセット間に挿脱自在に配置された間仕切り壁５Ｃから構成されている。
図中、５Ａ１、５Ｂ１はテーブル、５Ａ２、５Ａ２．．、５Ｂ２、５Ｂ２．．はテーブルの前後に配置された椅子である。
【０００３】
【発明が解決しようとする課題】
従来の技術で述べたものにあっては、下記のような問題点を有していた。
従来のテーブル席５の場合で、８人が１グループとして使用する場合、間仕切り壁５Ｃを除去することになるが、左方のテーブルセット５Ａと右方のテーブルセット５Ｂとの間に隙間Ｄが生じることになる。
この隙間Ｄを無くするためには手間をかけてテーブルを移動させる必要がある。テーブルが重量である場合にはその作業は容易ではない。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、左右に位置する左方のテーブルセット２と、右方のテーブルセット３と、これら両テーブルセット２、３間に挿脱自在に配置された間仕切り壁４から構成されているものにおいて、右方のテーブルセット３におけるテーブル３Ａは、支脚３Ａ１とこの支脚の上端に左右方向にスライド自在の状態で取付けられたスライドテーブル板部３Ｃから構成されていることを特徴とするものである。
【０００６】
請求項２記載の発明は、左右に位置する左方のテーブルセット２と、右方のテーブルセット３と、これら両テーブルセット２、３間に挿脱自在に配置された間仕切り壁４から構成され、
Ａ．左方のテーブルセット２は、テーブル２Ａとこのテーブルの前後に配置された適数個の椅子２Ｂ、２Ｂ．．から構成され、テーブル２Ａは支脚２Ａ１とこの支脚の上端に取付けられたテーブル板２Ａ２から構成され、
Ｂ．右方のテーブルセット３は、テーブル３Ａとこのテーブルの前後に配置された適数個の椅子３Ｂ、３Ｂ．．から構成され、テーブル３Ａは、支脚３Ａ１とこの支脚の上端に取付けられたスライドテーブル板部３Ｃから構成され、
Ｃ．スライドテーブル板部３Ｃは、水平基板３Ｃ１と、この水平基板３Ｃ１を中心に左右方向にスライド自在の状態で取付けられたスライドテーブル板３Ｃ２とストッパ部３Ｃ３から構成され、ストッパ部３Ｃ３は、スライドテーブル板３Ｃ２を左方に移動させた状態で固定すると共に、スライドテーブル板３Ｃ２を右方に移動させた状態で固定するよう構成されていることを特徴とするものである。
【０００７】
請求項３記載の発明は、左右に位置する左方のテーブルセット２と、右方のテーブルセット３と、これら両テーブルセット２、３間に挿脱自在に配置された間仕切り壁４から構成され、
Ａ．左方のテーブルセット２は、テーブル２Ａとこのテーブルの前後に配置された適数個の椅子２Ｂ、２Ｂ．．から構成され、テーブル２Ａは支脚２Ａ１とこの支脚の上端に取付けられたテーブル板２Ａ２から構成され、
Ｂ．右方のテーブルセット３は、テーブル３Ａとこのテーブルの前後に配置された適数個の椅子３Ｂ、３Ｂ．．から構成され、テーブル３Ａは、支脚３Ａ１とこの支脚の上端に取付けられたスライドテーブル板部３Ｃから構成され、スライドテーブル板部３Ｃは、水平基板３Ｃ１とスライドテーブル板３Ｃ２とストッパ部３Ｃ３から構成され、
水平基板３Ｃ１は、左方のテーブルセット２におけるテーブル板２Ａ２の寸法より少し小さい寸法に構成され、かつ支脚３Ａ１の上端に固定された基板３Ｃ１１と、基板３Ｃ１１の下面における前方辺に刻設された前の段欠きＫ１及び後方辺に刻設された後の段欠きＫ２から構成され、
スライドテーブル板３Ｃ２は、テーブル板３Ｃ２１と、前方のテーブル板支持枠３Ｃ２２と、後方のテーブル板支持枠３Ｃ２３から構成され、テーブル板３Ｃ２１は、左方のテーブルセット２におけるテーブル板２Ａ２の寸法と同様の寸法に構成された板Ｗ１と、この板Ｗ１の下面外周に添設された枠Ｗ２から構成され、前方のテーブル板支持枠３Ｃ２２は、水平基板３Ｃ１における基板３Ｃ１１の左右の長さと同一長さに構成された細幅板ＨＷ１と、この細幅板ＨＷ１に水平基板３Ｃ１における前の段欠きＫ１に対応するよう刻設された前方段欠きＫ１１から構成され、後方のテーブル板支持枠３Ｃ２３は、テーブル板３Ｃ２１の枠Ｗ２内における左右の長さと同一長さに構成された細幅板ＨＷ２と、この細幅板ＨＷ２に水平基板３Ｃ１における後の段欠きＫ２に対応するよう刻設された後方段欠きＫ１２から構成され、水平基板３Ｃ１の上面にスライドテーブル板３Ｃ２のテーブル板３Ｃ２１の下面を移動自在の状態で重ね、当該水平基板３Ｃ１における前の段欠きＫ１に前方のテーブル板支持枠３Ｃ２２の前方段欠きＫ１１を係合させ、また、後の段欠きＫ２に後方のテーブル板支持枠３Ｃ２３の後方段欠きＫ１２を係合させたのち、両テーブル板支持枠をスライドテーブル板３Ｃ２におけるテーブル板３Ｃ２１にそれぞれ連結させ、
ストッパ部３Ｃ３は、ストッパ移動小溝３Ｃ３１とストッパ本体３Ｃ３２とストッパ小受け３Ｃ３３から構成され、ストッパ移動小溝３Ｃ３１は、水平基板３Ｃ１の基板３Ｃ１１に対してスライドテーブル板３Ｃ２を右方に停止するまで寄せた状態（図５参照）において、当該基板３Ｃ１１の右方縁Ｚに沿った状態でスライドテーブル板の前端から後方に向けあり溝状に刻設され、ストッパ本体３Ｃ３２は、つまみ用の小ブロックＳＢの下端にストッパ移動小溝３Ｃ３１に移動自在に装着されるあり状部ＡＢが形成され、ストッパ小受け３Ｃ３３は、水平基板３Ｃ１の基板３Ｃ１１に対してスライドテーブル板３Ｃ２を左方に停止するまで寄せた状態（図６参照）において、当該スライドテーブル板の前方部分にストッパ本体３Ｃ３２が挿脱できるよう基板に前向きコ字状に刻設され、
Ｃ．間仕切り壁４は、側面方形の壁体４Ａと壁体の下端に取付けられたキャスター４Ｂ、４Ｂから構成されていることを特徴とするものである。
【０００８】
請求項４記載の発明は、請求項３記載の発明を用いて下記の各工程から構成されていることを特徴とするものである。
左右に位置する左方のテーブルセット２と右方のテーブルセット３と、これら両テーブルセット２、３間に挿脱自在に配置された間仕切り壁４から構成された状態において、
Ａ．左方のテーブルセット２と右方のテーブルセット３を連結した状態で使用する場合、
ａ．間仕切り壁４を除去する。
ｂ．右方のテーブルセット３におけるストッパ部３Ｃ３のストッパ本体３Ｃ３２をストッパ移動小溝３Ｃ３１に沿って前方に移動させ解放状態にする。
ｃ．右方のテーブルセット３のスライドテーブル板３Ｃ２を左方に移動させ左方のテーブルセット２のテーブル板２Ａ２に当接させたのち、ストッパ本体３Ｃ３２を後方に向け移動させストッパ小受け３Ｃ３３内に挿入して固定して、左方のテーブルセット２と右方のテーブルセット３とを一体化した状態にする。
Ｂ．左方のテーブルセット２と右方のテーブルセット３を分離した状態で使用する場合、
ａ．ストッパ本体３Ｃ３２を前方に向け移動させストッパ小受け３Ｃ３３から離脱させ解放状態にする。
ｂ．右方のテーブルセット３のスライドテーブル板３Ｃ２を右方に停止するまで移動させたのち、ストッパ本体３Ｃ３２をストッパ移動小溝３Ｃ３１に沿って後方に移動させ固定状態にする。
ｃ．左方のテーブルセット２と右方のテーブルセット３との間に間仕切り壁４を挿入起立させ、左方のテーブルセット２と右方のテーブルセット３とを分離した状態にする。
【０００９】
【発明の実施の形態】
以下、本発明の実施の形態を実施例にもとづき図面を参照して説明する。
１は第１発明のテーブル席で、左右に位置する左方のテーブルセット２と、右方のテーブルセット３と、これら両テーブルセット２、３間に挿脱自在に配置された間仕切り壁４から構成されている。挿脱はキャスターを利用して移動させることになる。
Ａ．左方のテーブルセット２は、テーブル２Ａとこのテーブルの前後に配置された適数個の椅子２Ｂ、２Ｂ．．から構成されている。
テーブル２Ａは支脚２Ａ１とこの支脚の上端に取付けられたテーブル板２Ａ２から構成されている。
【００１０】
Ｂ．右方のテーブルセット３は、テーブル３Ａとこのテーブルの前後に配置された適数個の椅子３Ｂ、３Ｂ．．から構成されている。
テーブル３Ａは、支脚３Ａ１とこの支脚の上端に取付けられたスライドテーブル板部３Ｃから構成されている。
そこで、スライドテーブル板部３Ｃは、水平基板３Ｃ１とスライドテーブル板３Ｃ２とストッパ部３Ｃ３から構成されている。
ｂ１．水平基板３Ｃ１は、左方のテーブルセット２におけるテーブル板２Ａ２の寸法より少し小さい寸法に構成され、かつ支脚３Ａ１の上端に固定された基板３Ｃ１１と、基板３Ｃ１１の下面における前方辺に刻設された前の段欠きＫ１及び後方辺に刻設された後の段欠きＫ２から構成されている。
【００１１】
ｂ２．スライドテーブル板３Ｃ２は、テーブル板３Ｃ２１と、前方のテーブル板支持枠３Ｃ２２と、後方のテーブル板支持枠３Ｃ２３から構成されている。
ｂ２１．テーブル板３Ｃ２１は、左方のテーブルセット２におけるテーブル板２Ａ２の寸法と同様の寸法に構成された板Ｗ１と、この板Ｗ１の下面外周に添設された枠Ｗ２から構成されている。
ｂ２２．前方のテーブル板支持枠３Ｃ２２は、水平基板３Ｃ１における基板３Ｃ１１の左右の長さと同一長さに構成された細幅板ＨＷ１と、この細幅板ＨＷ１に水平基板３Ｃ１における前の段欠きＫ１に対応するよう刻設された前方段欠きＫ１１から構成されている。
ｂ２３．後方のテーブル板支持枠３Ｃ２３は、テーブル板３Ｃ２１の枠Ｗ２内における左右の長さと同一長さに構成された細幅板ＨＷ２と、この細幅板ＨＷ２に水平基板３Ｃ１における後の段欠きＫ２に対応するよう刻設された後方段欠きＫ１２から構成されている。
この結果、当然のことながら、後方のテーブル板支持枠３Ｃ２３の長さは、前方のテーブル板支持枠３Ｃ２２の長さより（＋Ｌ分）少し長いことになる。
ｂ２４．水平基板３Ｃ１の上面にスライドテーブル板３Ｃ２のテーブル板３Ｃ２１の下面を移動自在の状態で重ね、当該水平基板３Ｃ１における前の段欠きＫ１に前方のテーブル板支持枠３Ｃ２２の前方段欠きＫ１１を係合させ、また、後の段欠きＫ２に後方のテーブル板支持枠３Ｃ２３の後方段欠きＫ１２を係合させたのち、両テーブル板支持枠をスライドテーブル板３Ｃ２におけるテーブル板３Ｃ２１にそれぞれ連結させる。
この結果、スライドテーブル板３Ｃ２を水平基板３Ｃ１に対して左右にスライドさせることができる。
【００１２】
ｂ３．ストッパ部３Ｃ３は、ストッパ移動小溝３Ｃ３１とストッパ本体３Ｃ３２とストッパ小受け３Ｃ３３から構成されている。
ｂ３１．ストッパ移動小溝３Ｃ３１は、水平基板３Ｃ１の基板３Ｃ１１に対してスライドテーブル板３Ｃ２を右方に停止するまで寄せた状態（図５参照）において、当該基板３Ｃ１１の右方縁Ｚに沿った状態でスライドテーブル板の前端から後方に向けあり溝状に刻設されている。
ｂ３２．ストッパ本体３Ｃ３２は、つまみ用の小ブロックＳＢの下端にストッパ移動小溝３Ｃ３１に移動自在に装着されるあり状部ＡＢが形成されている。
ｂ３３．ストッパ小受け３Ｃ３３は、水平基板３Ｃ１の基板３Ｃ１１に対してスライドテーブル板３Ｃ２を左方に停止するまで寄せた状態（図６参照）において、当該スライドテーブル板の前方部分にストッパ本体３Ｃ３２が挿脱できるよう基板に前向きコ字状に刻設されている。
Ｃ．間仕切り壁４は、側面方形の壁体４Ａと壁体の下端に取付けられたキャスター４Ｂ、４Ｂから構成されている。
【００１３】
第２発明は、第１発明であるテーブル席１の使用方法で、下記の各工程から構成されている。
左右に位置する左方のテーブルセット２と右方のテーブルセット３と、これら両テーブルセット２、３間に挿脱自在に配置された間仕切り壁４から構成された状態において、
Ａ．左方のテーブルセット２と右方のテーブルセット３を連結した状態で使用する場合、
ａ．間仕切り壁４を除去する。
ｂ．右方のテーブルセット３におけるストッパ部３Ｃ３のストッパ本体３Ｃ３２をストッパ移動小溝３Ｃ３１に沿って前方に移動させ解放状態にする。
ｃ．図６のように、右方のテーブルセット３のスライドテーブル板３Ｃ２を左方に移動させ左方のテーブルセット２のテーブル板２Ａ２に当接させたのち、ストッパ本体３Ｃ３２を後方に向け移動させストッパ小受け３Ｃ３３内に挿入して固定する。
この結果、左方のテーブルセット２と右方のテーブルセット３とは一体化されることになる。
【００１４】
Ｂ．左方のテーブルセット２と右方のテーブルセット３を分離した状態で使用する場合、
ａ．ストッパ本体３Ｃ３２を前方に向け移動させストッパ小受け３Ｃ３３から離脱させ解放状態にする。
ｂ．図５のように、右方のテーブルセット３のスライドテーブル板３Ｃ２を右方に停止するまで移動させたのち、ストッパ本体３Ｃ３２をストッパ移動小溝３Ｃ３１に沿って後方に移動させ固定状態にする。
ｃ．左方のテーブルセット２と右方のテーブルセット３との間に間仕切り壁４を挿入起立させる。
この結果、左方のテーブルセット２と右方のテーブルセット３とは分離された状態になる。
【００１５】
以上は、左方のテーブルセット２に対して右方のテーブルセット３のスライドテーブル板部３Ｃを移動する場合で説明したが、下記のように使用することもできる。
Ａ．左方のテーブルセット２のテーブル２Ａを右方に位置させ、右方のテーブルセット３のテーブル３Ａを左方に位置させ、左方に位置させた右方のテーブルセット３のテーブルにおけるスライドテーブル板部３Ｃを右方に位置する左方のテーブルセット２のテーブルに対して移動する状態で使用することができる。
Ｂ．２個の右方のテーブルセット３のテーブル３Ａを用意し、１個を左方に位置させ、他の１個を右方に位置させて使用することができる。
【００１６】
【発明の効果】
本発明は、上述の通り構成されているので次に記載する効果を奏する。
１．間仕切り壁４を中心に配されている左方のテーブルセット２と右方のテーブルセット３とを極めて簡単な作業により一体化したテーブルセットとすることができる。
２．逆に、一体化したテーブルセットを極めて簡単な作業により左方のテーブルセット２と右方のテーブルセット３とに分離することができる。
３．このほか、安価に製造できる、部品点数が少ないので組立が容易である、経済的である、などの効果をも有するものである。
【図面の簡単な説明】
【図１】作用前の状態を示す斜視図である。
【図２】作用後の状態を示す斜視図である。
【図３】右方のテーブルセットにおけるテーブルを反転した状態の１部を省略した斜視図である。
【図４】同上の分解斜視図である。
【図５】右方のテーブルセットにおいてスライドテーブル板部をスライドさせる前の固定状態を説明するテーブルを反転した状態の１部を省略した平面図である。
【図６】右方のテーブルセットにおいてスライドテーブル板部をスライドさせた後の固定状態を説明するテーブルを反転した状態の１部を省略した平面図である。
【図７】Ａ−Ａ線拡大断面図である。
【図８】Ｂ−Ｂ線拡大断面図である。
【図９】Ｃ−Ｃ線拡大断面図である。
【図１０】Ｄ−Ｄ線拡大断面図である。
【図１１】右方のテーブルセットにおいてスライドテーブル板部をスライドさせる前の状態を示す１部を切欠いた斜視図である。
【図１２】Ｅ−Ｅ線における要部拡大断面図である。
【図１３】右方のテーブルセットにおいてスライドテーブル板部をスライドさせる前の固定状態を示す１部を切欠いた斜視図である。
【図１４】右方のテーブルセットにおいてスライドテーブル板部をスライドさせた後の固定状態を示す１部を切欠いた斜視図である。
【図１５】従来のテーブル席の状態を示す斜視図である。
【符号の説明】
１　第１発明のテーブル席
２　左方のテーブルセット
３　右方のテーブルセット
４　間仕切り壁
【図１】
2004089387.tif 000003
【図２】
2004089387.tif 000004
【図３】
2004089387.tif 000005
【図４】
2004089387.tif 000006
【図５】
2004089387.tif 000007
【図６】
2004089387.tif 000008
【図７】
2004089387.tif 000009
【図８】
2004089387.tif 000010
【図９】
2004089387.tif 000011
【図１０】
2004089387.tif 000012
【図１１】
2004089387.tif 000013
【図１２】
2004089387.tif 000014
【図１３】
2004089387.tif 000015
【図１４】
2004089387.tif 000016
【図１５】
2004089387.tif 000017